(57)【要約】【課題】熟練しなくとも、適量の衣原料を天ぷら用素材に注加して、華を咲かせた天ぷらを製造することを可能にする衣原料注ぎ具、および、それを用いた天ぷらの製造方法を提供する。【解決手段】天ぷらの衣原料を収容する衣原料収容部５と、衣原料収容部に連通し、且つ、衣原料収容部５に収容された天ぷらの衣原料を天ぷら用素材に注ぐための開口７を有するノズル６と、ノズルの開口を閉鎖する閉鎖位置Ａとノズルの開口を開放する開放位置との間で移動可能に配置された栓部材１６と、栓部材を閉鎖位置と開放位置との間で移動させる操作部とを備える衣原料注ぎ具1を用いて、適量の天ぷらの衣原料を自重によりノズル６の開口７から天ぷら用素材に注加する。【選択図】図１
2012040297.tif 000002
【特許請求の範囲】
【請求項１】
天ぷらの衣原料を収容する衣原料収容部と、
前記衣原料収容部に連通し、且つ、前記衣原料収容部に収容された前記天ぷらの衣原料を天ぷら用素材に注ぐための開口を有するノズルと、
前記ノズルの開口を閉鎖する閉鎖位置と前記ノズルの開口を開放する開放位置との間で移動可能に配置された栓部材と、
前記栓部材を前記閉鎖位置と前記開放位置との間で移動させる操作部と
を備え、前記操作部により前記栓部材を前記開放位置に移動させることで前記衣原料収容部に収容された前記天ぷらの衣原料を自重により前記ノズルの開口から注ぐことを特徴とする衣原料注ぎ具。
【請求項２】
前記ノズルの開口の内径が、１．５〜３．５ｍｍである請求項１に記載の衣原料注ぎ具。
【請求項３】
天ぷらの衣原料を請求項１または２に記載の衣原料注ぎ具の前記衣原料収容部に収容し、
衣原料を付着させた天ぷら用素材を、所定の温度に加熱された油中に沈め、
前記天ぷら用素材が油面に浮上する前に、前記天ぷら用素材の上方から、前記衣原料注ぎ具を用いて前記天ぷらの衣原料を注加することを特徴とする天ぷらの製造方法。
【請求項４】
前記衣原料が油ちょうされてなる衣に実質上凹凸をつけることがない凹部が形成された載置面を有する天ぷら用補助部材を油中に配置し、
前記衣原料を付着させた天ぷら用素材を、前記天ぷら用補助部材の載置面上に載置することを特徴とする請求項３に記載の天ぷらの製造方法。
【請求項５】
前記天ぷら用補助部材は、前記載置面から前記油面までの高さが、前記載置面上に載置される前記衣原料を付着させた天ぷら用素材の高さの１．０〜２．０倍となる位置に配置されることを特徴とする請求項４に記載の天ぷらの製造方法。
【発明の詳細な説明】
【技術分野】
【０００１】
この発明は、衣原料注ぎ具、および、それを用いた天ぷらの製造方法に関し、詳しくは、熟練者でなくとも、華を咲かせた天ぷらを製造することを可能にする衣原料注ぎ具、および、それを用いた天ぷらの製造方法に関する。
【背景技術】
【０００２】
海老を始めとする魚介類の天ぷらでは、見栄えや食感を良くするために衣を大きくすることが行われる。これを「華を咲かせる」と呼ぶ。華を咲かせるには、衣原料を付着させた海老等の素材を油に入れた後、その上から適量の衣原料を糸のように垂らし、先に付着させてある衣の周りに形よく衣を付加していく。しかし、油面を動く天ぷらに形良くきれいに華を咲かせるには熟練した技が必要であり、一般の人が華を咲かせた天ぷらを製造するのは困難である。
【０００３】
天ぷらの製造方法として、例えば、特許文献１には、凹凸面の底面と、その両側に連なる傾斜面とからなる衣形成用凹部を備えた衣形成台を用い、この衣形成凹部に天ぷら具材を載せ、その上から衣液を掛けて天ぷら具材に付着させ、フライヤーで油ちょうすることが記載されている。この方法によれば、衣液が傾斜面に沿って具材の中心方向に流れて集まり、また、凹凸面によって具材の裏面に凹凸空間が生じるので、裏面にも凹凸状の厚みのある、形のよい衣層が形成できるとされている。
【０００４】
また、特許文献２には、天ぷら冷凍食品の製造方法として、天ぷら素材に泡立てられた卵白と小麦粉を含む一次バッターを付けて油ちょうし、その上から小麦粉を含む二次バッターを注加することにより、一次バッターの外側に二次バッターを層状に付けることが記載されている。これにより、保型性が良く、解凍油ちょう時の魚介類からの離水による衣の破裂やべたつきを防止することができるとされている。
しかし、特許文献１および２のいずれの方法によっても、天ぷらに華を咲かせることはできない。
【先行技術文献】
【特許文献】
【０００５】
【特許文献１】特開平５−２４４９２０号公報
【特許文献２】特開昭５９−５９１８１号公報
【発明の開示】
【発明が解決しようとする課題】
【０００６】
そこで、この発明の目的は、上記従来技術の問題点を解消し、熟練しなくとも、適量の衣原料を天ぷら用素材に注加して、華を咲かせた天ぷらを製造することを可能にする衣原料注ぎ器、および、それを用いた天ぷらの製造方法を提供することにある。
【課題を解決するための手段】
【０００７】
この発明に係る衣原料注ぎ具は、天ぷらの衣原料を収容する衣原料収容部と、衣原料収容部に連通し、且つ、衣原料収容部に収容された天ぷらの衣原料を天ぷら用素材に注ぐための開口を有するノズルと、ノズルの開口を閉鎖する閉鎖位置と前記ノズルの開口を開放する開放位置との間で移動可能に配置された栓部材と、栓部材を閉鎖位置と開放位置との間で移動させる操作部とを備え、操作部により栓部材を開放位置に移動させることで衣原料収容部に収容された天ぷらの衣原料を自重により前記ノズルの開口から注ぐことを特徴とする。
【０００８】
また、ノズルの開口の内径が、１．５〜３．５ｍｍであることが好ましい。
【０００９】
この発明の天ぷらの製造方法は、天ぷらの衣原料を上記に記載の衣原料注ぎ具の衣原料収容部に収容し、衣原料を付着させた天ぷら用素材を、所定の温度に加熱された油中に沈め、天ぷら用素材が油面に浮上する前に、天ぷら用素材の上方から、衣原料注ぎ具を用いて天ぷらの衣原料を注加することを特徴とする。
【００１０】
また、衣原料が油ちょうされてなる衣に実質上凹凸をつけることがない凹部が形成された載置面を有する天ぷら用補助部材を油中に配置し、衣原料を付着させた天ぷら用素材を、天ぷら用補助部材の載置面上に載置することが好ましい。
また、天ぷら用補助部材は、載置面から油面までの高さが、載置面上に載置される衣原料を付着させた天ぷら用素材の高さの１．０〜２．０倍となる位置に配置されることが好ましい。
【発明の効果】
【００１１】
本発明によれば、熟練しなくとも、適量の衣原料を天ぷら用素材に注加することができ、華を咲かせた天ぷらを容易に製造することができる。
【図面の簡単な説明】
【００１２】
【図１】この発明の実施形態１に係る衣原料注ぎ具の構成を示す断面図である。
【図２】実施形態１に係る衣原料注ぎ具の衣原料注出時の様子を示す断面図である。
【図３】実施形態１に係る衣原料注ぎ具を用いた天ぷら製造方法を説明するための図である。
【図４】実施形態２に係る衣原料注ぎ具の構成を示す断面図である。
【図５】実施形態３に係る天ぷら製造方法において用いられる天ぷら用補助板を示す平面図である。
【発明を実施するための形態】
【００１３】
以下に、添付の図面に示す好適な実施形態に基づいて、この発明を詳細に説明する。
【００１４】
実施形態１
図１に、この発明の実施形態１に係る衣原料注ぎ具１の構成を示す。
衣原料注ぎ具１は、ほぼ筒形状を有し且つその中心軸がほぼ鉛直方向に向けられた本体２を有している。本体２は、円筒部３とこの円筒部３の下端に連通する円錐部４からなり、円筒部３と円錐部４の内部に、天ぷらの衣原料を収容するための衣原料収容部５が形成されている。円錐部４は、下端に向かうほど径が小さくなる形状を有して、この円錐部４によりノズル６が構成されており、ノズル６の下端部に内径Ｄの開口７が形成されている。
【００１５】
本体２の円筒部３の内周面上に、本体２の中心軸方向に延びる固定部材８が固定されている。固定部材８の上端部は、円筒部３の上縁部から上方へ突出して支持部９を形成し、固定部材８の下端部は、円筒部３内でＬ字状に屈曲されてフランジ部１０を形成している。円筒部３の上部には、レバー部材１１が円筒部３の径方向を向くように配置され、レバー部材１１の中央部がピン１２を介して支持部９に回転可能に支持されている。レバー部材１１の一端部は、本体２の外部に位置して、このレバー部材１１を操作するための操作レバー１３を形成している。一方、レバー部材１１の他端部は、本体２の中心軸付近まで本体２の内方へ向かって延び、操作レバー１３の操作に応じて鉛直方向に揺動する揺動部１４を形成している。
【００１６】
このレバー部材１１の揺動部１４にロッド１５の上端部が回転可能に連結され、ロッド１５の下端部に円板形状の栓部材１６が取り付けられている。レバー部材１１の揺動部１４の近傍と固定部材８のフランジ部１０との間に引っ張りバネ１７が配置され、これにより、レバー部材１１の揺動部１４が下方へ向けて付勢され、栓部材１６がノズル６の下端部付近でノズル６の内周部に押圧された状態となっている。また、本体２の円筒部３の外周部には、操作レバー１３の直下に位置するように、支持ハンドル１８が固定されている。操作レバー１３とロッド１５と引っ張りバネ１７により、この発明の操作部が構成されている。
【００１７】
通常時、栓部材１６は、引っ張りバネ１７の付勢力により、ノズル６の下端部付近でノズル６の内周部に押圧され、図１に示されるように、栓部材１６の周端部がノズル３の内周面と接触してノズル６の開口７を閉鎖する閉鎖位置Ａに位置している。このため、衣原料収容部５に天ぷらの衣原料（追いだね）を収容しても、衣原料は栓部材１６によってせき止められ、ノズル６の開口７から注出されることがない。
【００１８】
このような状態から、例えば、調理者が、操作レバー１３に指を掛けて、操作レバー１３を下方へ押し下げると、レバー部材１１は、支持部９のピン１２を中心として、図１において時計回りに回転し、レバー部材１１の揺動部１４が上昇する。この揺動部１４の上昇に伴って、揺動部１４に連結されたロッド１５が上昇し、さらに、ロッド１５の下端部に取り付けられた栓部材１６も上昇する。その結果、図２に示されるように、栓部材１６の周端部がノズル３の内周面から離れて、栓部材１６は、ノズル６の開口７を開放する開放位置Ｂへと移動する。このため、衣原料収容部５に天ぷらの衣原料Ｓが収容されていれば、衣原料Ｓは、図中の矢印方向に沿って、自重で、栓部材１６の周端部とノズル３の内周面との間に形成された間隙を通り、ノズル６の開口７から注出されることとなる。
【００１９】
その後、調理者が、操作レバー１３から指を放す、または、操作レバー１３を押す力を弱めると、引っ張りバネ１７の付勢力により、レバー部材１１は、支持部９のピン１２を中心として、図２において反時計回りに回転し、レバー部材１１の揺動部１４が下降する。この揺動部１４の下降に伴って、ロッド１５および栓部材１６も下降し、栓部材１６は、開放位置Ｂから閉鎖位置Ａに戻され、衣原料Ｓの注出が停止される。
このように、操作レバー１３に置かれた指の力加減で、栓部材１６を自在に閉鎖位置Ａと開放位置Ｂとの間で移動させることができ、容易に、衣原料注ぎ具１から天ぷらの衣原料Ｓを注出したり、注出を停止したりすることができる。
【００２０】
なお、開口７の内径Ｄは、１．５〜３．５ｍｍであることが好ましい。このような大きさの内径Ｄであれば、天ぷらの衣原料Ｓがダマになりにくいので、適量の衣原料Ｓを、スムーズに、自重で、注出することができる。
【００２１】
衣原料注ぎ具１の材質は、特に限定されないが、例えば、アルミニウム、ステンレス及びプラスチック等を用いることができる。
【００２２】
実施形態１に係る衣原料注ぎ具１は、このように構成されているので、この衣原料注ぎ具１を用いれば、熟練しなくとも、簡単な作業（操作）で、適量の衣原料Ｓを、天ぷら用素材に注加することができ、華を咲かせた天ぷらを容易に製造することができる。
【００２３】
次に、衣原料注ぎ具１を用いた天ぷらの製造方法を説明する。
まず、図３に、天ぷらを製造する際に用いられるフライヤー２０の構成を示す。フライヤー２０は、油槽２１と、油槽２１の内部の油２２を加熱する電熱ヒーター２３と、電熱ヒーター２３を保護する金網２４と、天ぷら用補助板２５と、天ぷら用補助板２５を油槽２１内の所定の位置に支持する天ぷら用補助板支持部材２６とを備えている。
【００２４】
図３は、フライヤー２０の構成を明瞭に示すために、フライヤー２０の前面の壁部材を取り除いて表してある。図示しない前側部分には、油２２の温度を調整する操作部が設けられている。図示例では、フライヤー２０は、電熱ヒーター２３による電気加熱方式のものであるが、ガス加熱方式やその他の加熱方式のものであってもよく、従来用いられている各種のフライヤーを利用することができる。
【００２５】
天ぷら用補助板２５は、衣原料を付着させた天ぷら用素材２７を載置するためのものであり、平滑な載置面を有している。
天ぷら用補助板２５は、油ちょう温度の油２２に浸漬されても変質や劣化を生じない素材であって、伝熱効率の良いものであればよい。例えば、ステンレス、タングステン等が好適である。
天ぷら用補助板２５の全体の厚さは、本実施形態の効果に特に影響を与えない。したがって、天ぷら用補助板２５は、板状のものには限定されず、任意形状の部材とすることができる。
【００２６】
天ぷら用補助板２５は、天ぷら用素材２７が載置される面から、油２２の表面までの深さｄ（図３参照）が、天ぷら用補助板２５に載置される天ぷら用素材２７の高さ（最高部までの高さ）の１．０〜２．０倍となる位置に配置されるのが好ましい。１．０倍以上とするのは、天ぷら用素材２７が完全に油２２に潜る深さを確保するためであり、２．０倍以下とするのは、これよりも深いと、追いだねとして注加した衣原料の多くが天カスとなってしまうからである。
【００２７】
天ぷら用補助板２５は、各種サイズのフライ鍋に対応する大きさや形状にすることができ、各種のフライ鍋等で用いることができる。例えば、家庭用のフライ鍋に用いることも可能である。
【００２８】
天ぷら用補助板支持部材２６は、上記深さｄの位置に天ぷら用補助板２５を配置するためのもので、天ぷら用補助板２５を載せる水平部分２６ａと、油槽２１の上端に引っ掛かる水平部分２６ｂと、水平部分２６ａおよび２６ｂをつなぐ垂直腕部分２６ｃとからなる。図３の例では、対象の形状を有する２つの天ぷら用補助板支持部材２６，２６が、油槽２１の左右に取り付けられ、２つの支持部材２６，２６によって天ぷら用補助板２５の両端が支持されている。
なお、天ぷら用補助板支持部材２６は、天ぷら用補助板２５を所定深さｄに保持できるものであれば、他の形状であってもよい。また、一対の天ぷら用補助板支持部材２６を水平部分２６ａで接続して一体的に形成したものであってもよい。
また、天ぷら用補助板支持部材２６，２６と天ぷら用補助板２５とが一体的に構成されていてもよい。
【００２９】
油２２は、通常の揚げ油である。また、天ぷら用素材２７としては、海老、いか、魚、野菜等、各種の素材が用いられるが、華を咲かせる食材としては、海老を始めとする魚介類が一般的である。
【００３０】
天ぷらを製造する際には、フライヤー２０の油槽２１に油２２を張り、油ちょう温度に加熱した後、衣原料を付着させた天ぷら用素材２７を、天ぷら用補助板２５の上面（載置面）に載せる。天ぷら用素材２７は天ぷら用補助板２５の上で油ちょうされ、衣原料から衣が形成されて、浮上し始める。
天ぷら用素材２７が油面に浮上する前、好ましくは天ぷら用補助板２５から離れて浮上し始める前に、天ぷら用素材２７の上方から、衣原料注ぎ具１を用いて、天ぷらの衣原料Ｓを注加する。
【００３１】
注加の方法としては、例えば、天ぷら用素材として海老を用いた場合、海老の一端部から他端部まで、衣原料注ぎ具１を一往復させつつ衣原料Ｓを注加すればよい。
具体的にいえば、まず、調理者は、操作レバー１３に親指を掛けて、支持ハンドル１８を握り、衣原料注ぎ具１を海老（天ぷら用素材）２７の尾部２７ａの上方に配置する。なお、このとき、栓部材１６は閉鎖位置Ａに位置しており、衣原料収容部５に収容されている衣原料Ｓは栓部材１６によってせき止められているものとする。
そして、天ぷら用素材２７が油面に浮上する前に、操作レバー１３を親指で押し、レバー部材１１を回転させて、栓部材１６を閉鎖位置Ａから開放位置Ｂへと移動する。これにより、衣原料収容部５に収容されている天ぷらの衣原料Ｓは、自重で、海老２７へ注加される。
このように、調理者は、レバー部材１３を押し続けながら、衣原料注ぎ具１を、海老の尾部２７ａの上方から他端部２７ｂの上方まで移動させた後、再び、尾部２７ａの上方にまで戻して、天ぷらの衣原料（追いだね）Ｓを海老２７に注加する。
このようにして、衣原料注ぎ具１を海老２７の長さ方向に一往復動かして衣原料Ｓを海老２７に注加したところで、調理者が、操作レバー１３から指を放す、または、操作レバー１３を押す力を弱めれば、引っ張りバネ１７の付勢力により、レバー部材１１が回転して、栓部材１６は、開放位置Ｂから閉鎖位置Ａに戻される。これにより、海老２７への衣原料Ｓの注加が停止される。
【００３２】
注加された衣原料Ｓは、油２２の中で天ぷら用素材２７の全体にきれいに華を咲かせる。それとともに、天ぷら用素材２７に付いた華の分の浮力が生じ、油面に浮上する。
天ぷら用素材２７に火が通り、衣に色が付いた後、調理者が油２２から取り上げれば完成である。
なお、天ぷら用素材２７は、自然に油面に浮上すれば、調理者が取り上げ易い点で好ましいが、浮上しなくても品質上の問題はない。また、華が咲き浮上した後は、油面で不規則に移動しても不都合はない。
【００３３】
実施形態１に係る衣原料注ぎ具１を用いれば、熟練しなくとも、簡単な作業で、適量の衣原料Ｓを、天ぷら用素材に注加することができ、容易に華を咲かせた天ぷらを製造することができる。また、操作レバー１３を操作するだけで、天ぷらの衣原料Ｓを手に付着することなく、天ぷらに華を咲かせることができるので、衛生的に天ぷらを製造することができる。
【００３４】
実施形態２
上記実施形態１に係る衣原料注ぎ具１は、円板形状の栓部材１６が取り付けられているが、この発明は、その形状に限定されず、図４に示すような、ノズル６内の先端部に嵌入できる円錐形状を有する栓部材３１であってもよい。
栓部材３１の材質は、特に制限はなく、実施形態１の衣原料注ぎ具１と同様に、例えば、アルミニウム、ステンレス及びプラスチック等を用いることができる。
【００３５】
この実施形態２に係る衣原料注ぎ具３０を用いれば、栓部材３１が、その外周面によりノズル６の内面に対して大きな接触面積で接触することとなり、栓部材３１を閉鎖位置から、開放位置へ移動させるとき、栓部材３１とノズル６の内面との間に円錐面状の流路が形成され、この流路を通して衣原料収納部５に収納された衣原料を安定してノズル６の先端部へ送ることができる。このため、熟練しなくとも、適量の衣原料を、簡単な作業で、天ぷら用素材に注加することができ、華を咲かせた天ぷらを容易に製造することができる。
【００３６】
実施形態３
上記実施形態１に係る衣原料注ぎ具１を用いた天ぷら製造方法では、天ぷら用補助板として、平滑な搭載面を有するものを使用したが、図５に示すような、多数の凹部３３を有する搭載面をもつ天ぷら用補助板３２であってもよい。
【００３７】
天ぷら用補助板３２の材質、厚さ、配置、大きさ及び形状は、天ぷら用素材２７の搭載面に多数の凹部３３を有することができれば、特に制限されない。好適な例として、実施形態１において示した天ぷら用補助板２５の態様が挙げられる。
【００３８】
凹部３３は、載置された天ぷら用素材の衣に凹凸を付けることがない程度の深さおよび大きさが好ましい。衣に凹凸が付くほどの深さおよび大きさとすると、天ぷら用補助板３２の上で油ちょうされ形成された衣（固体化したもの）が凹部３３に引っ掛かってしまうことがあるので好ましくないからである。凹部３３を、天ぷら用補助板３２を貫通する穴とした場合や、天ぷら用補助板として網を用いた場合も同様に、衣が引っ掛かってしまうことがある。
したがって、凹部３３は、天ぷら用補助板３２の幅および深さに対応して形成されるが、幅または直径１２ｍｍ以下、深さ０．５ｍｍ〜１．６ｍｍとするのが好ましく、幅または直径６ｍｍ〜１１ｍｍ、深さ１．０ｍｍ〜１．２ｍｍとするのが更に好ましい。
また、凹部３３は、天ぷら用補助板３２の幅に対応して形成されるが、６〜１５ｍｍ間隔で形成されることが好ましく、また１２〜１３ｍｍ間隔で形成されることがより好ましく、図５で示されるように、縦方向および横方向によって、間隔を変えて形成されていてもよく、同一間隔で形成されていてもよい。
【００３９】
また、本発明者の研究によれば、凹部３３の面積占有率（密度）が３０％以上、逆に言えば、天ぷら用素材２７に接する部分の面積率が７０％以下となるように、凹部３３を設けることが好ましい。天ぷら用素材２７の浮上開始までに３０秒以上の時間を確保することができるからである。ただし、凹部３３の面積占有率が８０％を超えると、天ぷら用素材２７は、凹部３３の底面に接触するようになるため、８０％以下とするのが好ましい。
【００４０】
凹部３３の形状には特に制限はなく、円形、楕円形、四角形や六角形やその他の多角形などとすることができる。また、凹部３３を、縦方向または横方向の筋目状に形成してもよい。
【００４１】
載置面にこのような凹部３３を設けた天ぷら用補助板３２は、載置面が平滑である補助板に比して、載置された天ぷら用素材２７が油面に浮上するまでの時間を長くする効果を有する。
すなわち、天ぷら用補助板の載置面が平滑である場合、衣原料付きの天ぷら用素材２７は、天ぷら用補助板２５に載せられると間もなく浮上し始め、油面に浮かぶようになる。図３に示されるように、油面に浮かんだ天ぷら用素材２７は、油面の揺れによって油層２１内を不規則に移動する。天ぷら用素材２７に華を咲かせるためには、天ぷら用素材２７に衣原料Ｓを素早く注加することが必要であるが、油面に浮かんだ、しかも不規則に移動する天ぷら用素材２７に、形良く衣原料Ｓを付けることは、熟練していない人には難しい。上手くいかないと、天ぷら用素材２７に偏って付着してしまったり、付着せずに天カスとなってしまったりする。
【００４２】
しかし、凹部３３を設けた天ぷら用補助板３２を用いた場合は、衣原料付きの天ぷら用素材２７は、天ぷら用補助板３２に載せられた後、３０〜６０秒程度経過した後に浮上し始める。そのため、天ぷら用素材２７が油面に浮かぶ前に、衣原料Ｓを注加することができる。通常、油２２を掻き回さなければ、天ぷら用素材２７は、油面に浮上するまでは油２２内を大きく移動することはない。また、油中で衣原料Ｓをつける方が、注加した衣原料を天ぷら用素材２７の全体に均一に付着させやすく、きれいな華を咲かせやすい。そのため、このような効果を有する凹部３３を設けた天ぷら用補助板３２を用いるとともに、容易な作業で天ぷらに華を咲かせることができる衣原料注ぎ具１を用いれば、天ぷら用素材２７が油面に浮かぶ前に天ぷら用素材２７に形良く衣原料Ｓを付けて華を咲かせることは、油面に浮かんだ後に比べて格段に容易である。
【００４３】
また、販売用の天ぷらを連続的に製造する場合、一度に複数の天ぷら用素材２７を油２２に入れて調理するのが効率的である。しかし、天ぷら用補助板の載置面が平滑である場合、油２２に入れた複数の天ぷら用素材２７がすぐに浮かび上がってしまうため、全ての天ぷら用素材２７に同様にきれいな華を咲かせるのは、熟練しなければ困難である。
これに対し、実施形態３に係る天ぷらの製造方法の場合には、油２２に入れられ天ぷら用補助板３２に載置された天ぷら用素材２７が油面に浮上するまでの時間が長く、さらに、容易な作業で天ぷらに華を咲かせることができる衣原料注ぎ具１を用いるので、天ぷら用素材２７が油面に浮上するまでに油２２の中の複数の天ぷら用素材２７の全てに、適量の衣原料Ｓを形良く均等に付けることができ、熟練者でなくとも、容易に、全ての天ぷらに同様にきれいな華を咲かせることができる。
【実施例１】
【００４４】
平滑面を有するステンレス製の厚さ２ｍｍの板を、天ぷら用補助板とした。この天ぷら用補助板を、油層の油面から３０ｍｍの位置に固定し、油の温度を１７０℃にして海老の天ぷらを作製したところ、天ぷら用補助板に載置した場合に、その高さが１６ｍｍである衣原料付きの海老が浮上し始めるまで（天ぷら用補助板を離れるまで）の時間は、この海老を天ぷら用補助板に載せてから２０秒であった。
【００４５】
次に、同様にして海老の天ぷらを作製し、今度は、実施形態１に係る衣原料注ぎ具１を用いて、この天ぷらに華を咲かせることを試みた。衣原料注ぎ具１は、そのノズル６の開口７の内径Ｄが、３．５ｍｍであるものを使用した。衣原料付きの海老を天ぷら用補助板に載せてからこの海老が浮上し始めるまでの２０秒の時間内に、海老の上方から、海老の一端部から他端部まで、衣原料注ぎ具１を一往復させつつ、適量の衣原料を注加して、形良くきれいな華を咲かせることが出来た。また、追加の衣原料が海老に偏って付着したり、海老に付着せずに天カスとなったものも少なかった。
【実施例２】
【００４６】
ステンレス製の厚さ２．０ｍｍの板の片面に、長軸１１ｍｍ、短軸８ｍｍ、深さ１．０ｍｍの楕円形の凹部を、縦に１４ｍｍ間隔、横に６ｍｍ間隔でエンボス加工により形成して、天ぷら用補助板を得た。このとき、凹部の面積占有率は５０％であった。
この天ぷら用補助板を油層の油面から３０ｍｍの位置に固定し、油の温度を１７０℃にして海老の天ぷらを作製したところ、天ぷら用補助板に載置した場合に、その高さが１６ｍｍである衣原料付きの海老が浮上し始めるまで（天ぷら用補助板を離れるまで）の時間は、この海老を天ぷら用補助板に載せてから６０秒であった。
【００４７】
次に、同様にして海老の天ぷらを作製し、今度は、実施形態１に係る衣原料注ぎ具１を用いて、この天ぷらに華を咲かせること（実施形態３に係る天ぷらの製造方法）を試みた。衣原料注ぎ具１は、そのノズルの開口の内径が、３．５ｍｍであるものを使用した。衣原料付きの海老を天ぷら用補助板に載せてからこの海老が浮上し始めるまでの６０秒の時間内に、海老の上方から、海老の一端部から他端部まで、衣原料注ぎ具１を一往復させつつ、適量の衣原料を注加して、形良くきれいな華を咲かせることが出来た。また、追加の衣原料が海老に偏って付着したり、海老に付着せずに天カスとなったものも少なかった。また、作業時間に余裕をもって、天ぷらに華を咲かせることができた。
【比較例】
【００４８】
平滑面を有するステンレス製の厚さ２ｍｍの板を、天ぷら用補助板とした。この天ぷら用補助板を、油層の油面から３０ｍｍの位置に固定し、油の温度を１７０℃にして海老の天ぷらを作製したところ、天ぷら用補助板に載置した場合に、その高さが１６ｍｍである衣原料付きの海老が浮上し始めるまで（天ぷら用補助板を離れるまで）の時間は、この海老を天ぷら用補助板に載せてから２０秒であった。
【００４９】
次に、同様にして海老の天ぷらを作製し、今度は、手に、衣原料を付着させ、指先から、衣原料を糸のように垂らして、この天ぷらに華を咲かせることを試みた。その結果、衣原料付きの海老を天ぷら用補助板に載せてからこの海老が浮上し始めるまでの２０秒の時間内では、海老全体に衣原料を注加することができず、また、さらに、油面に浮上してから衣原料を注加することとなったため、追加の衣原料は海老に偏って付着し、また、海老に付着せずに天カスとなったものも多かった。
【符号の説明】
【００５０】
１，３０  衣原料注ぎ具、２  本体、３  円筒部、４  円錐部、５  衣原料収容部、６  ノズル、７  開口、８  固定部材、９  支持部、１０  フランジ部、１１  レバー部材、１２  ピン、１３  操作レバー、１４  揺動部、１５  ロッド、１６，３１  栓部材、１７  引っ張りバネ、１８  支持ハンドル、２０  フライヤー、２１  油槽、２２  油、２３  電熱ヒーター、２４  金網、２５，３２  天ぷら用補助板、２６  天ぷら用補助板支持部材、２７  天ぷら用素材（海老）、３３  凹部、Ａ  閉鎖位置、Ｂ  開放位置、Ｄ  内径、Ｓ  天ぷら用衣原料、ｄ  載置面から油面までの深さ。
【図１】
2012040297.tif 000003
【図２】
2012040297.tif 000004
【図３】
2012040297.tif 000005
【図４】
2012040297.tif 000006
【図５】
2012040297.tif 000007